(57)【要約】【課題】  コーナ部に建築用化粧材を取り付けるに当たって、固定具の構造および固定作業を簡単化する。【解決手段】  天井１と壁面２で構成される入隅部Ａの長手方向に間隔を置いて複数の固定具を取り付け、これらの固定具を介して細長い化粧材５０を固定する。各固定具は、天井１に固定される第１固定部１１と、壁面２に固定される第２固定部１２と、第１固定部および第２固定部を連結して延在する連結部１３と、から構成される。第１固定部１１および第２固定部１２は、それぞれ、連結部１３に対して入隅部Ａに向かう方向に折れ曲がって延在する。連結部１３には、第１固定部１１および第２固定部１２へのアクセス路３１、３２を設ける。このアクセス路から工具を挿入して、第１固定部１１および第２固定部１２をビス等で天井１および壁面２に固定する。最後に、連結部１３に対して、化粧材５０をビス等で固定する。【選択図】  図３
2006328900.tif 000002
【特許請求の範囲】
【請求項１】
互いに角度を為す第１壁面（１）と第２壁面（２）で構成されるコーナ部（Ａ）の長手方向に間隔を置いて複数の固定具（１０）を取り付け、これらの固定具（１０）を介して建築用化粧材（５０）を固定してなる、建築用化粧材の取付構造であって、
各固定具（１０）は、第１壁面に固定される第１固定部（１１）と、第２壁面に固定される第２固定部（１２）と、第１固定部および第２固定部を連結して延在する連結部（１３）と、から構成され、
第１固定部（１１）および／または第２固定部（１２）は、連結部（１３）に対してコーナ部（Ａ）に向かう方向に折れ曲がって延在しており、
連結部（１３）には、コーナ部（Ａ）に向かう方向に折れ曲がって延在する第１固定部（１１）および／または第２固定部（１２）へのアクセス路（３１、３２）が形成されていて、
連結部（１３）に対して建築用化粧材（５０）を固定していることを特徴とする、取付構造。
【請求項２】
互いに角度を為す第１壁面（１）と第２壁面（２）で構成されるコーナ部（Ａ）の長手方向に間隔を置いて複数の固定具（１０）を取り付け、これらの固定具（１０）を介して建築用化粧材（５０）を固定してなる、建築用化粧材の取付構造であって、
各固定具（１０）は、建築用化粧材（５０）が取り付けられる取付部（６０）と、当該取付部（６０）から延在して第１壁面（１）または第２壁面（２）のいずれかに固定される固定部（６１）と、を備えていて、
固定部（６１）は、取付部（６０）からコーナ部（Ａ）に向かう方向に折れ曲がって延在していて、
取付部（６０）には、固定部（６１）へのアクセス路が形成されていることを特徴とする、取付構造。
【請求項３】
上記連結部（１３）または取付部（６０）に設けた挟持部材（１８、１９）が、建築用化粧材（５０）裏面の突出部（５８、５９）を挟持することで、建築用化粧材（５０）が連結部（１３）または取付部（６０）に固定されていることを特徴とする、請求項１または２記載の取付構造。
【請求項４】
上記建築用化粧材（５０）は、ネジ部材（２６）を用いて、連結部（１３）または取付部（６０）に固定されていることを特徴とする、請求項１または２記載の取付構造。
【請求項５】
互いに角度を為す第１壁面（１）と第２壁面（２）で構成されるコーナ部（Ａ）に建築用化粧材（５０）を固定するための固定具であって、
第１壁面に固定される第１固定部（１１）と、第２壁面に固定される第２固定部（１２）と、第１固定部および第２固定部を連結して延在し、ここに建築用化粧材（５０）が固定される連結部（１３）と、から構成されており、
第１固定部（１１）および／または第２固定部（１２）は、連結部（１３）に対してコーナ部（Ａ）に向かう方向に折れ曲がって延在しており、
連結部（１３）には、コーナ部（Ａ）に向かう方向に折れ曲がって延在する第１固定部（１１）および／または第２固定部（１２）へのアクセス路（３１、３２）が形成されていることを特徴とする、固定具。
【請求項６】
互いに角度を為す第１壁面（１）と第２壁面（２）で構成されるコーナ部（Ａ）に建築用化粧材（５０）を固定するための固定具であって、
建築用化粧材（５０）が取り付けられる取付部（６０）と、当該取付部（６０）から延在して第１壁面（１）または第２壁面（２）のいずれかに固定される固定部（６１）と、を備えていて、
固定部（６１）は、取付部（６０）からコーナ部（Ａ）に向かう方向に折れ曲がって延在していて、
取付部（６０）には、固定部（６１）へのアクセス路が形成されていることを特徴とする、固定具。
【請求項７】
上記連結部（１３）または取付部（６０）には、建築用化粧材（５０）裏面の突出部（５８、５９）を挟持する挟持部材（１８、１９）が設けられていることを特徴とする、請求項５または６記載の固定具。
【請求項８】
上記連結部（１３）または取付部（６０）には、当該固定具に建築用化粧材（５０）を固定するためのネジ部材（２６）と係合するネジ孔（１３ａ）が設けられていることを特徴とする、請求項５または６記載の固定具。
【発明の詳細な説明】
【技術分野】
【０００１】
本発明は、建築物内外のコーナ部に化粧材を取り付ける取付構造、およびそこに使用する固定具に関する。
【背景技術】
【０００２】
例えば特許文献１および特許文献２に示されたもの等、従来より、入隅部に回り縁を取り付けるための取付構造および固定具が種々提案されている。
しかしながら、いずれにおいても、固定具自体の構造が複雑で加工が難しいという問題があった。
【０００３】
【特許文献１】特開平５−３９６６５号公報
【特許文献２】特開２００１−９８７５５号公報
【発明の開示】
【発明が解決しようとする課題】
【０００４】
本発明は、上記事情に鑑みて創案されたものであって、構造が簡単な固定具、およびそれを利用した建築用化粧材の取付構造を提供することを目的とする。
【課題を解決するための手段】
【０００５】
本発明により、次の特徴を備えた建築用化粧材の取付構造が提供される。
本発明の取付構造は、互いに角度を為す第１壁面と第２壁面で構成されるコーナ部の長手方向に間隔を置いて複数の固定具を取り付け、これらの固定具を介して建築用化粧材を固定してなる、建築用化粧材の取付構造である。
各固定具は、第１壁面に固定される第１固定部と、第２壁面に固定される第２固定部と、第１固定部および第２固定部を連結して延在する連結部と、から構成される。
第１固定部および／または第２固定部は、連結部に対してコーナ部に向かう方向に折れ曲がって延在している。また、連結部には、コーナ部に向かう方向に折れ曲がって延在する第１固定部および／または第２固定部へのアクセス路が形成されている。
連結部に対して建築用化粧材が固定される。
【０００６】
本発明の取付構造においては、各固定具は、次のように構成されてもよい。
すなわち、各固定具は、「建築用化粧材が取り付けられる取付部」と「当該取付部から延在して第１壁面または第２壁面のいずれかに固定される固定部」とを備えている。固定部は、取付部からコーナ部に向かう方向に折れ曲がって延在していて、取付部には、固定部へのアクセス路が形成されている。
【０００７】
また、本発明により、上記取付構造に適用するのに好適な固定具が提供される。
本発明の固定具は、互いに角度を為す第１壁面と第２壁面で構成されるコーナ部に建築用化粧材を固定するための固定具である。
この固定具は、第１壁面に固定される第１固定部と、第２壁面に固定される第２固定部と、第１固定部および第２固定部を連結して延在し、ここに建築用化粧材が固定される連結部と、から構成されている。
第１固定部および／または第２固定部は、連結部に対してコーナ部に向かう方向に折れ曲がって延在している。また、連結部には、コーナ部に向かう方向に折れ曲がって延在する第１固定部および／または第２固定部へのアクセス路が形成されている。
【０００８】
また、本発明の固定具は、次のように構成されていてもよい。
すなわち、固定具は、「建築用化粧材が取り付けられる取付部」と「当該取付部から延在して第１壁面または第２壁面のいずれかに固定される固定部」とを備えている。固定部は、取付部からコーナ部に向かう方向に折れ曲がって延在していて、取付部には、固定部へのアクセス路が形成されている。
【発明の効果】
【０００９】
本発明による建築用化粧材の取付構造においては、簡単な形状の固定具を使用しているので、施工コストを低減することができる。また、固定具をコーナ部付近に取り付けるための固定部の少なくとも１つがコーナ部に向かう方向に折れ曲がっているため、当該固定部が外部に露出することがなく、見映えのよいスッキリした外観を提供できる。
また、本発明の固定具は、その構造がシンプルで簡単に製造することができるので、低コストでの大量生産に適している。また、コーナ部に向かう方向に折れ曲がった固定部に対するアクセス路を設けているので、工具等を用いて固定作業を簡単に行うことが可能となる。
【発明を実施するための最良の形態】
【００１０】
本発明の実施形態を添付の図面を参照して以下に詳細に説明する。図１は、室内において天井１と壁面２との間に形成された入隅部（コーナ部）Ａを示している。本発明の固定具１０を入隅部Ａの長手方向に間隔をおいて複数固定し、これらの固定具１０を介して、細長い建築用化粧材（回り縁）５０を取り付ける。
なお、図示はしていないが、天井１と壁面３との間の入隅部Ｂに対しても、同様の方法で化粧材５０が取り付けられる。その場合に、入隅部Ａ、Ｂが交差するコーナ部では、化粧材５０の端部に所定の付き合わせ処理が行われるが、それについては、本発明の要旨ではないので、ここでは説明しない。
【００１１】
図２は、本発明の固定具１０を背面側から示す斜視図である。また、図３は、固定具１０を入隅部Ａに取り付けた状態を示す中央縦断面図である。
【００１２】
図示の例では、固定具１０は、１枚の亜鉛メッキ鋼板を折り曲げて構成されており、第１固定部１１、第２固定部１２、および連結部１３を備える。
第１固定部１１は、ビス等のネジ部材、釘、あるいは接着剤等を用いて天井１（第１壁面）に固定することができる。第２固定部１２は、同様にして、壁面２（第２壁面）に固定される。
連結部１３は、第１固定部１１および第２固定部１２を連結するように斜めに延在している。
【００１３】
図３においては、固定具１０は、ネジ部材２１、２２を用いて、入隅部Ａに固定されている。具体的には、第１固定部１１をネジ部材２１で天井１に固定し、第２固定部１２をネジ部材２２で壁面２に固定している。そのため、第１固定部１１および第２固定部１２には、それぞれ、小孔１１ａ、１２ａを設けている。
小孔１１ａ、１２ａのサイズおよび形状は、それぞれ、ネジ部材２１、２２の軸部は通すが、ネジ頭２１ａ、２２ａは通さないものとされている。
【００１４】
第１固定部１１および第２固定部１２は、それぞれ、連結部１３に対して入隅部Ａに向かう方向に折れ曲がって延在している。第１固定部１１および第２固定部１２がこのような方向に延在するため、図４（ｂ）および図５に示したように、最終的に化粧材５０を取り付けた状態において、第１固定部１１および第２固定部１２を外部から完全に隠すことができる。
つまり、固定された化粧材５０の外側に第１固定部１１および第２固定部１２が露出することがなく、見映えのよいスッキリした外観を提供できる。
【００１５】
第１固定部１１および第２固定部１２をネジ部材や釘等で固定する場合には、当該固定作業に使用する工具が、第１固定部１１および第２固定部１２にアクセスできるように通路を確保する必要がある。
このため、図２および３に示したように、開口３１、３２をアクセス路として形成している。つまり、ネジ部材２１の締付け作業を行うためのドライバー工具等は、開口３１を通して、ネジ頭２１ａにアクセスできる（矢印Ｘ）。同様に、開口３２は、ネジ頭２２ａに対するアクセス路として機能する（矢印Ｙ）。
アクセス路である開口３１、３２のサイズおよび形状は、それぞれ、ネジ部材２１、２２の軸部およびネジ頭２１ａ、２２ａの両方（および工具）を通すものとされている。
【００１６】
なお、固定具の具体的な形態は、図示したものに限られない。例えば、第１固定部１１、第２固定部１２、化粧板固定部１３の幅寸法がそれぞれ異なっていてもよい。また、固定具の全体的な形状は、矩形である必要はなく、楕円形その他任意の形状を採用できる。
上記アクセス路を構成する開口３１、３２についても、その形状は任意である。また、大面積の１つの開口を設けて、当該１つの開口から、第１固定部１１および第２固定部１２の両方へのアクセスを可能とすることもできる。
さらには、アクセス路は開口である必要もない。例えば、固定具の側縁から内部に向かって切欠きを形成して、これをアクセス路とすることも可能である。
【００１７】
また、固定具１０として、金属、プラスチック、その他の適宜の材質を採用することが可能である。
【００１８】
図示の例では、第１固定部１１および第２固定部１２の両方が、連結部１３に対して入隅部Ａに向かう方向に折れ曲がって延在している。しかし、本発明においては、第１固定部１１および第２固定部１２のいずれか一方のみが入隅部Ａに向かって延在するように構成することも可能である。
その場合、他方の固定部１１または１２は、図示とは反対方向に延在させて、ネジ部材、釘、接着剤、フック等の適宜の手段で天井１または壁面２に固定する。また、アクセス路である開口３１、３２についても、一方を省略できる。
ただし、構造のシンプルさや、施工後における見映えの良さを考えると、第１固定部１１および第２固定部１２の両方を入隅部Ａに向かって延在させるのが好ましい。
【００１９】
≪施工例１（図４）≫
図４は、固定具１０の連結部１３に、化粧板５０を保持するための金具（キャッチ金具）１８、１９を設け、当該キャッチ金具１８、１９を介して、化粧材５０を固定した例を示している。
図４（ａ）は、固定具１０自体を示す側面図であり、図４（ｂ）は、当該固定具１０を用いて化粧材５０を固定した状態を示す断面図である。図４では、アクセス路を構成する開口３１、３２の図示は省略している。
各キャッチ金具１８、１９は、対向する２枚の金属片から構成されていて、化粧材５０の裏面に設けた突出部５８、５９を弾性的に挟持する。挟持部に接着剤を併用して強度を高めることもできる。
キャッチ金具１８、１９は、ステンレス鋼板から作ることが好ましいが、化粧材５０を挟持できるものであれば、その材質は特定のものに限定されない。
キャッチ金具１８、１９を利用すれば、入隅部Ａに固定された固定具１０に対して、化粧材５０を嵌込式で簡単に取り付けることができる。
【００２０】
≪施工例２（図５）≫
図５では、ネジ部材２６を用いて、化粧材５０を固定具１０の連結部１３に固定している。このため、連結部１３には、ネジ孔１３ａを設けている。ネジ部材２６を用いた場合には、キャッチ金具を利用する場合よりも強固に化粧材５０を固定できる。
なお、化粧材５０は、接着剤を用いて連結部１３に固定することも可能であり、その場合には、ネジ孔１３ａやキャッチ金具１８、１９は不要となる。
【００２１】
≪化粧材と固定具との配置関係（図６）≫
図６は、複数の化粧材５０を長手方向に複数並べて固定する場合について、各化粧材５０と固定具１０との位置関係を例示的に示すものである。図６の例では、化粧材５０と化粧材５０との継ぎ目箇所には、中間部に配置される固定具１０よりも幅広の固定具１０'を配置している。
幅広の固定具１０’は、その両側の化粧材を跨ぐように配置されていて、当該固定具１０’には、両側の化粧材５０、５０のそれぞれの端部が固定される。このようにすれば、隣接する化粧材５０、５０が継ぎ目位置において微妙にズレてしまうことを効果的に防止できる。
例えば、長さ３ｍの化粧材５０に対して、図６のように固定具を配置する場合には、固定具１０として幅５０ｍｍのものを、固定具１０’として幅１００ｍｍのものを用いる。
【００２２】
≪固定具の別例（図７）≫
図７には、固定具の別例を示した。この固定具は、壁面２だけに対してネジ部材２１および２２をもって固定されている点において、上述の例とは異なる。
図７の固定具では、取付部６０に化粧材５０が取り付けられる。図７では、ネジ部材２６を用いて化粧材５０を取付部６０に取り付けているが、図４に示した例と同様にキャッチ金具１８、１９を利用したり、接着剤を利用することも可能である。
【００２３】
固定部６１は、取付部６０の一端から連続的に延在していて、コーナ部Ａに向かう方向に折れ曲がっている。固定部６１は、ネジ部材２２によって、壁面２に固定される。したがって、取付部６０には、固定部６１に対するアクセス路が設けられている。アクセス路は、図７には現れていないが、図２の例における開口３２や、上述したような切欠き等の適宜の手段を採用することができる。
【００２４】
取付部６０の上方側は、天井１とほぼ平行に折り返されていて、これにより折返部６２を構成している。さらに、折返部６２の先端側が壁面２に沿って上方側へと折り返されていて、これにより形成された固定部６３がネジ部材２１によって、壁面２に固定されている。
このような構成は、建物の構造上、天井１に対してネジ部材を適用できない場合に有利である。なお、図７に示した固定具は、天井１に対してのみネジ部材２１および２２を用いて取り付けることも可能である。
【００２５】
以上、図１〜図７に示した各例に共通した特徴は、化粧材５０が直接固定される連結部１３（図２〜図５）または取付部６０（図７）に対して、コーナ部Ａに向かう方向に折れ曲がって延在する固定部が存在する場合に、連結部１３または取付部６０にアクセス路を設けている点である。
このような構成により、当該固定部を外部から見えないように隠すことができると同時に、そのような固定部に対して、ネジ部材等を利用した固定作業を簡単に行うことができる。
【００２６】
以上には、室内の天井１と壁面２との間に水平方向に延在する入隅部Ａに対して、回り縁として化粧材５０を取り付ける例を説明したが、本発明は、内装化粧材および外装化粧材を含めたあらゆる建築用化粧材の取付けに適用することができる。内装化粧材としては、回り縁、幅木等があり、外装化粧材としては、付柱、見切り、軒帯等がある。
【００２７】
また、室内の入隅部だけでなく、室外に存在する入隅部や、壁面と壁面との間で縦方向に延びる入隅部等、あらゆる入隅部に対して本発明を適用することが可能である。
さらには、入隅部以外であっても、所定の角度を為す２つの面から構成されるあらゆるコーナ部に対して、本発明を適用することができる。
【図面の簡単な説明】
【００２８】
【図１】本発明における入隅部への化粧材の取付作業を説明する要部斜視図。
【図２】本発明の固定具の一例を示す後方斜視図。
【図３】図２の固定具を入隅部に固定した状態で示す中央縦断面図。
【図４】本発明の固定具の別例を説明する図。
【図５】本発明の固定具のさらに別例を説明する図。
【図６】化粧材と固定具との配置関係を説明する図。
【図７】本発明の固定具のさらに別例を説明する図。
【符号の説明】
【００２９】
１  天井（第１壁面）
２、３  壁面（第２壁面）
１０、１０’  固定具
１１  第１固定部
１２  第２固定部
１１ａ、１２ａ  小孔
１３  連結部
１８、１９  キャッチ金具
２１、２２  ネジ部材
２１ａ、２２ｂ  ネジ頭
２６  ネジ部材
３１、３２  開口（アクセス路）
５０  化粧材（対象物）
５８、５９  突出部
６０  取付部
６１  固定部
６２  折返部
６３  固定部
【図１】
2006328900.tif 000003
【図２】
2006328900.tif 000004
【図３】
2006328900.tif 000005
【図４】
2006328900.tif 000006
【図５】
2006328900.tif 000007
【図６】
2006328900.tif 000008
【図７】
2006328900.tif 000009